(57)【要約】      （修正有）【課題】犬の糞の清掃を容易にする犬の糞キャッチャーを提供する。【解決手段】犬の糞キャッチャーは固定シート１０及び便袋２０を含み、該固定シート１０の一端が結合部１１を定義し、他端が密閉部１２を定義し、該便袋２０は開口２３を有し、その内部に収容空間を有し、該結合部１１を一つに結合でき、該結合部１１は通孔１３を設け、便袋２０の開口２３に相通でき、軽薄短小の体積により飼い主に便利に携帯させ、犬６０をつなぐ牽引縄に暫時引っ掛けさせることができ、犬６０が排便して地面に落ちる前に飼い主が密閉部１２を手持ちし、固定シート１０の結合部１１の通孔１３により犬の糞３０を通過させ便袋２０中に落とさせ、犬の糞３０は地面を汚させず、犬６０が排便を終えた後、密閉部１２を結合部１１方向へ折り畳み結合部１１に平らに貼付し、同時に結合部通孔１３を塞ぐ。【選択図】図６
0003203034.tif 000002
【実用新案登録請求の範囲】
【請求項１】
固定シート及び便袋を含み、該固定シートの一端は、結合部を定義し、他端は、密閉部を定義し、該便袋は、開口を有し、内部に開口と相通する収容空間を有し、該便袋は、結合部と一つに結合でき、該結合部は、通孔を設けて便袋の開口に相通することができる犬の糞キャッチャー。
【請求項２】
前記固定シートは、耳掛け部を設け、該耳掛け部は、固定シートの外輪郭のうちの１つの位置に近隣し、耳掛け部は、貫通孔及び貫通孔の孔縁から外輪郭まで延伸する貫通した切れ込みを含む請求項１に記載の犬の糞キャッチャー。
【請求項３】
前記結合部及び密閉部の間は、折り畳み部を定義し、密閉部が比較的省力的に結合部へ折り畳んで平らに貼付できる請求項１に記載の犬の糞キャッチャー。
【請求項４】
前記固定シートの２つの相対する外輪郭箇所に内縮する先端口をそれぞれ形成し、該２つの先端口の間に該折り畳み部を構成し、折り畳み部の一端は、結合部を定義し、他端は、密閉部を定義する請求項３に記載の犬の糞キャッチャー。
【請求項５】
前記固定シートの２つの先端口の間に耳掛け部を設け、該耳掛け部は、弧形切れ込み及び弧形切れ込みが囲う範囲中に位置する貫通孔から構成され、該弧形切れ込みは、密閉部の方向へ向けて設置される請求項４に記載の犬の糞キャッチャー。
【請求項６】
前記固定シートの２つの先端口の間は、貫通する直線切れ込みを少なくとも設ける請求項４に記載の犬の糞キャッチャー。
【請求項７】
前記密閉部の両側外輪郭及び中間外輪郭付近箇所にそれぞれ貫通する弧形切れ込みを切り出し、該各切れ込みが囲う範囲内は、上下に折り広げ可能な位置決め片を構成する請求項１に記載の犬の糞キャッチャー。
【請求項８】
前記結合部の通孔の２つの相対する孔縁箇所は、それぞれ孔内へ突出する係止片を形成し、該各係止片中の孔縁と交わる箇所は、それぞれ貫通した切れ込みを切り出し、各係止片は、折り広げ可能である請求項１に記載の犬の糞キャッチャー。
【請求項９】
前記結合部の背面は、通孔周囲において、粘着層を全部又は部分的に塗布し、粘着層は、離型紙により覆われる請求項１に記載の犬の糞キャッチャー。
【請求項１０】
前記結合部の正面及び背面は、通孔周囲において、粘着層を全部又は部分的の塗布し、粘着層は、離型紙により覆われる請求項１に記載の犬の糞キャッチャー。
【請求項１１】
前記便袋は、細長状を呈する袋体であり、その両側及び底部は、密閉状態を構成して漏れ防止の効果を有し、その上端は、開口を有し、開口両側は、それぞれ所定長さを有する第１延伸部、第２延伸部を形成し、該第１延伸部及び第２延伸部は、結合部に固定でき、該結合部の通孔は、便袋開口と相通する請求項１に記載の犬の糞キャッチャー。
【請求項１２】
前記便袋の上端は、上端面を有し、その開口は、上端面の中央位置に開設され、開口以外の両側及び底部は、密閉状態を構成して漏れ防止の効果を有し、その左右両側縁の上下両側面の間は、それぞれ相互に折り畳み可能な第１折れ辺、第２折れ辺を内向きに折って有し、第１折れ辺、第２折れ辺の中間は、第１折れ線を定義し、第１折れ辺、第２折れ辺、第１折れ線は、底端から上端へ向けて上端面付近まで延伸し、該１折れ線は、Ｖ形をなす２つの第２折れ線、第２折れ線と接し、該２つの第２折れ線、第３折れ線と上端面の辺縁は、第３折れ辺を構成し、該第３折れ辺、第１折れ辺、第２折れ辺は、便袋の上下側面間に完全に落ち込まれることができ、便袋を扁平状態にさせることができ、便袋の上端面は、結合部に固定でき、該結合部通孔は、便袋開口と相通する請求項１に記載の犬の糞キャッチャー。
【請求項１３】
前記便袋及び固定シートは、高周波技術、又は超音波技術、熱圧技術を用いて二者を一つに結合できる請求項１に記載の犬の糞キャッチャー。
【請求項１４】
前記便袋及び固定シートは、ホッチキス針用いて二者を一つに結合できる請求項１に記載の犬の糞キャッチャー。
【請求項１５】
結合部の通孔の２つの相対側辺上にそれぞれ複数のコ型を呈する貫通した切れ込みを設け、各切れ込みが囲う範囲内は、上下に折ることができる位置決め片を構成し、該便袋は、細長状を呈する袋体であり、その両側及び底部は、密閉状態を構成して漏れ防止の効果を有し、その上端は、開口を有し、開口両側は、それぞれ所定長さを有する第１延伸部、第２延伸部を形成し、第１延伸部及び第２延伸部の幅は、比較的内縮して設けられ、第１延伸部、第２延伸部の側面の上端付近は、貫通した切れ込みを設け、該第１延伸部、第２延伸部の各切れ込みは、対応する通孔両側の複数の位置決め片を貫通させ、相互に引っ掛けることができ、便袋を固定シートと一つに組み合わせることができる請求項１に記載の犬の糞キャッチャー。
【請求項１６】
前記便袋の第１延伸部、第２延伸部の上端縁は、粘着層を塗布し、各粘着層にそれぞれ離型紙を覆う請求項１１に記載の犬の糞キャッチャー。
【請求項１７】
固定シート及び便袋を含み、該固定シートの一端は、結合部を定義し、他端は、密閉部を定義し、該便袋は、開口を有し、内部に開口と相通する収容空間を有し、該便袋は、結合部と一つに結合でき、該結合部は、通孔を設けて便袋の開口に相通することができ、
該固定シートのうちの２つの相対する外輪郭箇所に内縮する先端口を形成し、２つの先端口の間の一端は結合部を定義し、他端は密閉部を定義し、該固定シートは、２つの先端口の間に耳掛け部を設け、該耳掛け部は、弧形切れ込み及び弧形切れ込みが囲う範囲中の貫通孔から構成され、該弧形切れ込みは、密閉部の方向へ設置され、
該固定シートは、耳掛け部を設け、該耳掛け部は、固定シートの外輪郭のうちの１つの位置に近隣し、耳掛け部は、貫通孔及び貫通孔から延伸して外輪郭まで延伸して貫通する切れ込みを含む犬の糞キャッチャー。
【考案の詳細な説明】
【技術分野】
【０００１】
本考案は、犬の糞キャッチャーに関し、特に、手持ちで一回使い捨ての犬の糞清掃器具であり、犬が糞を排泄して地面に落ちる前に、随時該犬の糞を受けて地面を汚さず、密閉してごみ箱に捨てることができ、犬の糞の臭いを低減し、これにより、犬の糞の清掃を極めて容易にする。
【背景技術】
【０００２】
犬を飼う人口が益々多くなるに伴って、都市中の至る所に犬の糞が遺留され、街の外観に影響を及ぼす問題が日増しに深刻になっており、政府機関の解決すべき政策項目の一つにもなっており、飼い主が犬の糞を拾うことができるように補助する為、業者は、犬の糞を拾うための製品を製造しており、例えば、犬の糞を拾う専用のビニール袋があり、飼い主が直接ビニール袋を飼い主の手に被せ、飼い主がビニール袋を隔てて直接犬の糞を拾うことに用いることができるが、温かい犬の糞を手に掴むことは、人に不快感を与え、気分を悪くさせ、また、犬が緩い便をした時には、完全に拾うことができず、地面を汚すことになる。中華民国実用新案登録出願番号第０９７２０７８５９号『糞拾い器』の実用新案（以下、第１公知案と称する）は、犬の糞を拾うことに用いる器具であり、それは、依然として軟便を拾うことができない欠陥、及び地面に落ちた犬の糞を拾った後、地面に依然として汚れが残留する欠陥があり、同時に、外へ犬の散歩へ行く時に、便拾い器を携帯しなければならず、明らかに負担であり、不便である。
【０００３】
更に、続いて、中華民国実用新案登録出願番号第０９９２０９２５４号『ペット用便取り器』実用新案（以下、第２公知案と称する）は、都市で犬を飼い、犬の糞を拾うことを解決する考案であり、それは、第１公知案に比較し、若干進歩しており、それは、犬の糞が地面に落ちる前に、半空中で犬の糞を受け、第１公知案の軟便を拾うことができない、又は地面に汚れが残留する欠陥を改善するが、それは、体積が過度に大きい欠陥を有し、且つそれは、一回使い素手の製品でなく、犬の排便後に依然として手に便取り器をもつ必要があり、携帯上の不便性がある。
【０００４】
従って、携帯に便利であり、犬の糞に地面を汚させず、且つ１回使い捨ての製品であり、簡易に密閉でき、犬の糞の臭いの発散を低減する犬の糞処理製品は、飼い主により誕生の期待が高まっている。
【先行技術文献】
【特許文献】
【０００５】
【特許文献１】中華民国実用新案登録出願番号第０９７２０７８５９号
【特許文献２】中華民国実用新案登録出願番号第０９９２０９２５４号
【考案の概要】
【考案が解決しようとする課題】
【０００６】
上記従来の犬の糞拾得器具の多くの欠陥に基づき、本考案者は、犬の飼い主に福をもたらし、街の外観を改善することを志願し、研究に専念し、試作を行い、繰り返し試験及び改良を行い、ようやく以下の考案の目的を達成する本考案を誕生させている。
【０００７】
即ち、本考案の目的は、軽薄短小、携帯に便利で１回使い捨ての犬の糞清掃器具を提供することにあり、犬が糞を排泄して地面に落ちる前に直接受けて地面を汚さず、密閉してごみ箱へ捨てることができ、犬の糞の臭いの発散を低減し、これにより、犬の糞の清掃を処理し易く地面を汚さないようにする。
【０００８】
本考案のもう１つの目的は、飼い主が犬を散歩させる時、犬が糞をする前に、長時間、片手に器具をもっている必要がなく、空いた片手でその他のことを行うことができるようにすることにあり、本考案の器具を犬のつなぐ牽引縄上の吊り環に引っ掛けることができ、本考案の器具の力を受けて拡大変形する切れ込み設計によって、飼い主がやや力を加え引っ張るだけで、迅速に本考案の器具を取って便を受けることができる。
【０００９】
本考案のもう１つの目的は、飼い主が犬を散歩させる時、長時間手で犬の糞を入れた袋をもつ必要がなく、本考案の耳掛け部の設計によって、犬の糞を入れた本考案の器具を、犬をつなぐ牽引縄の吊り環に引っ掛け、飼い主が片手でその他のことを行うことができ、一方の手で犬をつれ、他方の手で犬の糞を入れた袋をもっている必要がない。
【課題を解決するための手段】
【００１０】
上記考案目的を達成するため、本考案の一態様の犬の糞キャッチャーは、固定シート及び便袋を含み、該固定シートの一端は、結合部を定義し、他端は、密閉部を定義し、該便袋は、開口を有し、内部に収容空間を有して開口と相通し、該便袋は、該結合部と一つに結合し、該結合部は、通孔を設け、便袋の開口に相通でき、該密閉部は、折り畳んで結合部に平に貼付して結合部の通孔を塞ぐことができる。該固定シートは、耳掛け部を設け、該耳掛け部は、固定シートの外輪郭に近隣する１つの位置であり、耳掛け部は、貫通孔と貫通孔縁から外輪郭へ延伸する貫通した切れ込みを含み、該切れ込みが力を受けない時、クローズ状態を保持し、力を受ける時、該切れ込みが拡大して変形する。該固定シートの結合部と密閉部間の交わる箇所は、折り畳み部を定義し、該折り畳み部は、耳掛け部を設け、該耳掛け部は、孤形切れ込み及び弧形切れ込みが加工範囲に位置する貫通孔から構成され、該弧形切れ込みは、密閉部の方向に設置される。
【考案の効果】
【００１１】
本考案が提供する犬の糞キャッチャーは、その軽薄短小の体積設計によって、飼い主に便利に携帯させ、例えば、手にもつか、暫時衣服のポケット又はカバンに入れるか、暫時犬をつなぐ牽引縄の吊り環に吊るすことができ、犬が排便を行う準備動作に入った時迅速に取り出し使用し、犬が糞を排泄して地面に落ちる前に固定シートの密閉部該端を手で持ち、結合部の通孔に犬の糞を通過させ、便袋に落とさせ、犬の糞が地面に落ちて地面を汚さないようにし、犬が便を終えた後、密閉部を結合部方向へ折り畳み、結合部に平に貼付し、同時に結合部の通孔を塞ぎ、ごみ箱に捨て、犬の糞の臭いの発散を低減し、暫時ごみ箱がない時、固定シートの耳掛け部を用いて犬をつなぐ牽引縄の吊り環に引っ掛けることができ、飼い主が一方の手で犬を連れ、他方の手で犬の糞をもつ必要がなく、上記の構造設計により、犬の糞の清掃を容易に処理できるようにし、地面を汚さず、同時に飼い主に極めて大きな利便性を与えることができる。
【図面の簡単な説明】
【００１２】
【図１】本考案の第１実施例の立体分解図である。
【図２】図１の立体組み立て図である。
【図３】本考案の第１実施例の便袋が固定シートに平らに貼付され、暫時クランプされた状態を示す説明図である。
【図４】本考案の第１実施例の耳掛け部の切れ込みが力を受けて拡大変形する時のようすを示す説明図である。
【図５】本考案の第１実施例の固定シート耳掛け部が牽引縄の吊り環上に引っ掛ける時のようすを示す説明図である。
【図６】本考案の第１実施例の犬の糞を受ける時のようすを示す説明図である。
【図７】本考案の第１実施例の犬の糞を受けた時に密閉を行う動作説明図である。
【図８】本考案の第１実施例の犬の糞を受けた時に密閉を行う動作説明図である。
【図９】本考案の第１実施例の犬の糞を受けた時に密閉を行う動作説明図である。
【図１０】本考案の第１実施例の犬の糞を受けた時に密閉を行う動作説明図である。
【図１１】本考案の第１実施例の犬の糞を受けて密閉を完成し、暫時牽引縄の吊り環上に引っ掛ける時のようすを示す説明図である。
【図１２】本考案の第２実施例の立体分解図である。
【図１３】本考案の第３実施例の立体外観図である。
【図１４】本考案の第４実施例の立体外観図である。
【図１５】図１４の組み立て立体図である。
【図１６】本考案の第５実施例の立体分解図である。
【図１７】図１６の組み立て立体図である。
【図１８】本考案の第５実施例の犬の糞を受けた後に密閉する動作の説明図である。
【図１９】本考案の第５実施例の犬の糞を受けた後に密閉する動作の説明図である。
【図２０】本考案の第５実施例の犬の糞を受けた後に密閉する動作の説明図である。
【考案を実施するための形態】
【００１３】
本考案を更に理解し、実施し易くするために、幾つかの実施例を挙げ、図面に合わせて以下に詳細に説明する。但し、本実施例は、ただ説明に用いるのみであり、本考案の実施形態を制限することに用いるのではなく、本考案の実施を制限するものでもなく、本考案の技術特徴により行う改良実施も何れも本考案の拘束を受けるものである。
【００１４】
先ず、図１〜図４を参照して、本考案の犬の糞キャッチャーの第１実施例を説明する。本実施例の犬の糞キャッチャーは、固定シート１０と、便袋２０を含む。
【００１５】
該固定シート１０は、適度な強度を有するシート体であり、それは、紙板、又は繊維板、又は生物分解可能なプラスチック板から製造されることができ、その一端は、結合部１１を定義し、他端は、密閉部１２を定義し、該結合部１１は、通孔１３を設け、該通孔１３の横方向両側は、それぞれ第１辺縁１１１、第２辺縁１１２を定義し、縦方向両側は、それぞれ第３辺縁１１３、第４辺縁１１４を定義し、通孔１３の縦方向の両孔縁には、それぞれ孔内向きに突出する折り畳み可能な係止片１３１，１３２を形成し、該各係止片１３１，１３２と対応する第３辺縁１１３，第４辺縁１１４の接するＵ箇所の局部位置には、それぞれ貫通した切れ込み１３３，１３４を切り出し、各係止片１３１、１３２が省力的に折り込むことができる。図１に示すように、固定シート１０の背面であり、該第１辺縁１１１及び第２辺縁１１２の背面は、粘着層１５を塗布し、各粘着層１５上には、離型紙１４により塞がれる。該密閉部１２と結合部１１の交わる箇所は、折り畳み部を定義し、各折り畳み部は、固定シート１０の２つの相対する外輪郭箇所にそれぞれ内縮する先端口１２１，１２２を形成して構成され、２つの先端口１２１，１２２の間は、２つの距離を隔てた貫通した直線切れ込み１２３Ａ、１２３Ｂを設け、２つの先端口１２１，１２２及び２つの直線切れ込み１２３Ａ、１２３Ｂの設置によって、密閉部１２を比較的容易に結合部１１方向へ折り畳み可能にし、本実施例において、該２つの直線切れ込み１２３Ａ、１２３Ｂの間は、貫通する弧形切れ込み１２３Ｃと１つに連結し、該弧形切れ込み１２３Ｃは、密閉部１２方向へ接地され、該弧形切れ込み１２３Ｃが囲う範囲内には、貫通孔１２３Ｄを更に設け、図８に示すように、該密閉部１２が結合部１１方向へ折り畳まれる時、該弧形切れ込み１２３Ｃが囲う範囲及び貫通孔１２３Ｄは、フック可能な耳掛け部１２３を構成する。図１，図７等に示すように、該密閉部１２の両側の外輪郭及ぶ中間外輪郭に近隣する箇所には、貫通する弧形切れ込み１２５，１２６，１２４をそれぞれ切り出し、該各弧形切れ込み１２５，１２６，１２４の各両末端は、何れも密閉部１２内部へやや延伸し、該各弧形切れ込み１２５，１２６，１２４が囲う範囲内は、上下に折り広げ可能な位置決め片１２５Ａ，１２６Ａ，１２４Ａを設け、（図７の１２６Ａ参照）、各位置決め片１２５Ａ，１２６Ａ，１２４Ａは、その材質の特性により、加える力がその応力破壊点を超えない限り、その変形後に弾性反作用力を自身に蓄積でき、原状回復又は物品を挟持する効果を達成することに用いることができる。そのうち、該弧形切れ込み１２４及びそれが対応する固定シート１０外輪郭の間は、貫通孔１７Ａを設け、該貫通孔１７Ａから外輪郭までの間に傾斜して貫通する切れ込み１７Ｂを設け、該切れ込み１７Ｂ及び貫通孔１７Ａは、耳掛け部１７を構成し、図１に示すように、該切れ込み１７Ｂが力を受ける時、それは、１つに閉じられ、図４に示すように、該切れ込み１７Ｂが力を受ける時、拡大変形することができる。
【００１６】
該便袋２０は、開口２３を有する細長状袋体であり、プラスチック、又は環境保護プラスチック、又は生物分解可能なプラスチック、又は紙、又は化学繊維等の材質で製造され、その両側辺２５、２６及び底縁２４は、密閉状態を構成して漏れ防止効果を有し、その内部は、収容空間を有して開口２３と相通し、その開口２３両側は、それぞれ上向きに所定長さの第１延伸部２１、第２延伸部２２を延伸し、且つ相互に一つに連通せず、該各第１延伸部２１、第２延伸部２２の各上端縁は、それぞれ対応する固定シート１０の第１辺縁１１１、第２辺縁１１２底面の粘着層１５に粘着し、便袋２０と固定シート１０を一つに結合して犬の糞を受け、該結合部１１の通孔１３は、便袋２０の開口２３に相通する（図２、図６参照）。
【００１７】
図１２は、本考案の第２実施例を示している。図１２に示すように、本実施例の犬の糞キャッチャーは、固定シート１０及び便袋２０を含み、該固定シート１０、便袋２０の構造設計及び第１実施例は、大部分が同じであり、その差異は、第１実施例では結合部１１の第１辺縁１１１、第２辺縁１１２に粘着層１５を塗布していたのを、本実施例では便袋２０の第１延伸部２１、第２延伸部２２の上端縁に粘着層２１１，２２１を塗布することに改めたことにあり、各粘着層２１１，２２１上に離型紙２１２，２２２を覆い、離型紙２１２，２２２を剥がした後、第１延伸部２１、第２延伸部２２を対応する第１辺縁１１１、第２辺縁１１２を粘着固定させて便袋２０と固定シート１０を一つに固定させ、犬の糞を受けることに用いることができ、該第１辺縁１１１、第２辺縁１１２は、粘着層を更に塗布する必要がない。
【００１８】
図１３は、本考案の第３実施例を示している。図１３に示すように、本実施例の犬の糞キャッチャーは、固定シート１０及び便袋２０を含み、該固定シート１０、便袋２０の構造設計は、第１実施例と大部分が同じであり、その差異は、該便袋２０及び固定シート１０の結合方式にあり、ホッチキス針１６を採用して第１延伸部２１、第２延伸部２２の各上端縁を直接対応する第１辺縁１１１、第２辺縁１１２と一つに釘合し、該第１辺縁１１１、第２辺縁１１２又は第１延伸部２１、第２延伸部２２は、粘着層を塗布する必要がなく、これにより便袋２０を固定シート１０と一つに結合して犬の糞を受けることに用いることができる。
【００１９】
図１４、図１５は、本考案の第４実施例を示している。図１４、図１５に示すように、本実施例の犬の糞キャッチャーは、固定シート１０と、便袋２０と、を含み、該固定シート１０は、第１実施例とほぼ同じであり、その差異は、以下にある。本実施例の結合部１１の第１辺縁１１１、第２辺縁１１２上にそれぞれ複数のコ型を呈する貫通した切れ込み１１１Ａ，１１２Ａを設け、切れ込み１１１Ａ，１１２Ａが囲う範囲内には、一端が上下折ることができる位置決め片１１１Ｂ、１１２Ｂを構成し（図１４の１１１Ｂ参照）、該第１辺縁１１１に位置する複数の位置決め片１１１Ｂと第２辺縁１１２の位置決め片１１２Ｂは、相反方向へ向く。本実施例の便袋２０は、第１実施例とほぼ同じであり、その差異は、以下にある。本実施例の便袋２０の第１延伸部２１及び第２延伸部２２の幅は、比較的内縮して設けられ、それに結合部１１の通孔１３を通過させ、第１延伸部２１、第２延伸部２２の側面は、の上端付近に複数の貫通した切れ込み２１１Ａ、２２１Ａを設け、該第１延伸部２１は、結合部１１背面から通孔１３を通過し、その各切れ込み２１１Ａは、第１辺縁１１１の各位置決め片１１１Ｂを通過させ、各位置決め片１１１Ｂ底縁に引っ掛け、該第２延伸部２２は、結合部１１背面から、通孔１３を通過し、その各切れ込み２２１Ａにより第２辺縁１１２の各位置決め片１１２Ｂを通過させ、各位置決め片１１２Ｂ底縁に引っ掛け、便袋２０を固定シート１０と一つに組み合わせて犬の糞を受けることに用いることができる。
【００２０】
続いて、図１６〜図２０は、本考案の第５実施例の犬の糞キャッチャーであり、それは、固定シート４０と、便袋５０を含み、そのうち、図１６、図１９に示すように、該固定シート４０は、適度な強度を有するシート体であり、紙板、又は繊維板、又は生物分解可能なプラスチック板等の材質で製造され、その一端は、結合部４１を定義し、他端は、密閉部４２を定義し、該結合部４１は、通孔４３を開設し、該結合部４１の背面及び正面の通孔４３周囲にそれぞれ粘着層４５，４７を塗布し、離型紙４４で塞がれる。該密閉部４３と結合部４１の交わる箇所は、折り畳み部を定義し、折り畳み部は、固定シート４０のうちの２つの相対する外輪郭に内縮を形成する先端口４２１，４２２で構成され、固定シート１０の２つの先端口４２１，４２２の間は、２つの間隔を隔てて貫通する直線切れ込み４６を設け、２つの先端口４２１，４２２及び２つの直線切れ込み４６の設置により、密閉部４２に比較的容易に結合部４１方向へ折り畳ませることができ、本実施例において、該２つの直線切れ込み４６の間は、同時に貫通する弧形切れ込み４８と１つに連結し、該弧形切れ込み４８は、密閉部４２方向へ設置され、該弧形切れ込み４８が囲う範囲内には、更に、貫通孔４９１を設け、図２０に示すように、該密閉部４２が結合部４１方向へ折り畳まれる時、該弧形切れ込み４８が囲う範囲及び貫通孔４９１は、引っ掛けることができる耳掛け部４９を構成する。
【００２１】
該便袋５０は、細長状の袋体であり、それは、プラスチック、又は環境保護プラスチック、又は生物分解可能なプラスチック、又は紙、又は化学繊維等の材質で製造されることができ、その上端は、上端面５１を備え、上端面５１の中央位置は、開口５２を開設し、それは、開口５２以外に、その両端及び底部は、密閉状態を構成し、漏れ防止の効果を有し、その内部は、収容空間を有して開口５２と相通し、便袋５０の左右両側縁は、それぞれ相互に折り畳み可能な第１折れ辺５３、第２折れ辺５４を内向きに折れるように有し、第１折れ辺５３、第２折れ辺５４の中間は、第１折れ線５５を定義し、第１折れ辺５３、第２折れ辺５４、第１折れ線５５は、便袋５０の底端は、上端へ上端面５１付近まで延伸し、該第１折れ線５５は、Ｖ形を構成する２つの第２折れ辺５６、第３折れ線５７と接し、該２つの第２折れ線５６、第３折れ線５７から上端面５１の辺縁までは、逆三角形の第３折れ辺５８を形成し、該便袋５０両側の第３折れ辺５８、第１折れ辺５３、第２折れ辺５４は、便袋５０左右両内側面中に完全に折り込むことができ、便袋５０は、暫時扁平状になり、該両側の第３折れ辺５８、第１折れ辺５３、第２折れ辺５４が押圧を受ける時、外向きに開いて便袋５０内部の収容空間を大きくすることができる。該便袋５０の上端面５１は、固定シート４０背面の通孔４３周囲の粘著層４５に粘着することができ、便袋５０を固定シート４０と一つに結合し、該便袋の開口５２は、結合部４１の通孔４３と相通し、該相互に一つに結合された便袋５０及び固定シート４０は、犬の糞を受けることに用いることができ、図１８〜図２０に示すように、犬の糞３０を受けた後、結合部４１正面の離型紙４４を剥がして粘着層４７を吐出させることができ（図１９に示す）、密閉部４２を結合部４１へ折り畳んで結合部４１上に平に貼付し、該密閉部４２の面積が結合部４１の通孔４３より大きいことにより、該密閉部４２は、完全に該通孔４３を塞がせ、粘着層４７により密閉部４２を粘着して密閉部４２を更に開くことができなくさせ、これにより、便袋５０中の犬の便３０の臭いの発散を低減する。
【００２２】
上記の本考案の第１実施例〜第５実施例は、飼い主に自ら組み立てさせることができる（ＤＩＹ製品）実施態様であり、本考案の便袋２０，５０及び固定シート１０，４０の固定方式は、高周波技術又は超音波技術又は熱圧技術を採用し、該便袋２０と固定シート１０又は便袋５０と固定シート４０を販売前に予め一つに固定することもできる。
【００２３】
本考案の犬の糞キャッチャーの使用方法及び発生する効果は、以下に第１実施例の態様により図面に合わせて詳細に説明する。
【００２４】
図３〜図１１に示すように、本考案は、その軽薄短小の体積設計により、それは、飼い主に便利に携帯させることができ、例えば、手に持つか、暫時衣服のポケット又はカバンに入れるか、飼い主が犬を散歩させる時、固定シート２０の耳掛け部１７により牽引縄６２の掴持部６２１の吊り環６３上に引っ掛け、該吊り環６３は、弾性閉鎖可能なフック６３１を有し、該固定シート２０の吊り環部１７は、該フック６３１上に吊り掛けることができ、該便袋２０の底縁２４は、位置決め片１２４Ａにより暫時挟持でき、勝手に移動することがなく（図３、図５参照）、犬６０が排便の準備動作に入ったときに取り出して使用し、フック６３１上に吊り掛け、この時、飼い主の一方の手は、牽引縄６２の掴持部６２１を牽引し、他方の手は、空いており、空いた方の手で固定シート１０を下向きに引き、該切れ込み１７Ｂが力を受けて拡大変形し、固定シート１０が迅速に取り外され、更に便袋２０の底縁２４を位置決め片１２４Ａから離脱させて自然に垂れ落とし、更に２つの係止片１３１，１３２に力を加えて下向きに広げ、通孔１３を完全に開通させ、犬６０が糞３０を排泄して地面に落ちる前に、飼い主が手で密閉部１２の該端を掴持し、結合部１１の該端を犬６０の臀部に近づけ、犬の糞３０を見て、犬の排便口が露出した時、結合部１１の通孔１３により犬の糞３０に位置合わせし、犬の糞３０が落ちる時、それを通孔１３及び便袋２０の開口２３に通過させて便袋２０中に進入させ、２つの係止片１３１，１３２の設置により、塞いで犬の糞３０が便袋２０の第１延伸部２１、第２延伸部２２の間から落ちることを防止し、該便袋２０中に入った犬の糞３０は、自らの重量により、便袋２０の内底部に滑り込み、該便袋２０は、犬の糞３０の押圧を受けて寄せ集まって変形し（図７参照）、犬がもう排便しないと確定した時、密閉作業を行うことができる。
【００２５】
図７〜図１０に示すように、犬の糞３０の便袋２０は、ごみ箱に直接捨てられる場合、濃厚な犬の糞の臭いが浸透し、通孔１３及び第１延伸部２１、第２延伸部２２の間のスリットを塞ぐ必要があり、犬の糞の臭いの逸脱を低減し、先ず密閉部１２の該端を結合部１１の方向へ折り畳み、２つの先端口１２１，１２２及び２つの直線切れ込み１２３Ａ、１２３Ｂは、同一の直線位置に位置されることで、該密閉部１２は、比較的省力的に結合部１１へ折り畳むことができ、該弧形切れ込み１２３Ｃの設置により、耳掛け部１２３を外輪郭に位置させて便利に懸架を提供でき、該密閉部１２の面積が結合部１１の通孔１３より大きいことによって、該密閉部１２が結合部１１に平らに貼付される時、完全に該通孔１３を塞ぎ（図９参照）、位置決め片１２４Ａに力を加え、それに下方の結合部１１の第１辺縁１１１を越えさせ、該位置決め片１２４Ａは、その反作用力により第１辺縁１１１を挟んで密閉部１２及び結合部１１に平らな貼付状態を保持させ、折り畳んだ固定シート１０を回転させて該耳掛け部１２３を上方に位置させ、該便袋２０は、同時に飼い主の前面に位置し（即ち、折り畳み後の固定シート１０の前面）、便袋２０は、犬の糞３０の重力によって下へ向いて、伴って便袋２０を結合部１１に寄せ（図１０参照）、この時、位置決め片１２５Ａ，１２６Ａに前後に施力し、前向きに折って結合部１１の第３辺縁１１３、第４辺縁１１４を越え、該位置決め片１２５Ａ，１２６Ａがその反作用力により第３辺縁１１３、第４辺縁１１４を挟み、同時に結合部１１に寄せられた便袋２０両側を挟むことができ（第１延伸部２１、第２延伸部２２の重なり合う箇所に対応する）、便袋２０中の犬の糞３０の臭いが通孔１３及び第１延伸部２１、第２延伸部２２の間のスリットから逸脱することを低減し、これにより、最後にそれをごみ箱中に捨てるだけでよく、これにより、犬の糞の清掃が容易に処理できるようになり、犬の糞が地面を汚すことがない。図１１に示すように、犬の散歩の現場において、ごみ箱がない場合も暫時吊り環６３のフック６３１により、該耳掛け部１２３を引っ掛け、飼い主がそのうち片方の手で犬６０をつれ、他方の手を空けておくか、その他のことを行うことができる。また、該第２実施例〜第５実施例の使用方法及びもたらす効果は、ほぼ同じであり、ここでは、再度記載しない。
【００２６】
なお、本考案では好ましい実施例を前述の通り開示したが、本考案は決してこれらの実施例に限定するものではなく、当該技術を熟知する者なら誰でも、本考案の精神と領域を脱しない均等の範囲内で各種の変動や潤色を加えることができることは勿論である。
【符号の説明】
【００２７】
１０  固定シート
１１  結合部
１１１  第１辺縁
１１１Ａ  コ型切れ込み
１１１Ｂ  位置決め片
１１２  第２辺縁
１１２Ａ  コ型切れ込み
１１２Ｂ  位置決め片
１１３  第３辺縁
１１４  第４辺縁
１２  密閉部
１２１、１２２  先端口
１２３  耳掛け部
１２３Ａ，１２３Ｂ  直線切れ込み
１２３Ｃ  弧形切れ込み
１２３Ｄ  貫通孔
１２３，１２５，１２６  弧形切れ込み
１２４Ａ，１２５Ａ，１２６Ａ  位置決め片
１３，１３Ａ  通孔
１３１，１３２  係止片
１３３，１３４  切れ込み
１４  離型紙
１５  粘着層
１６  ホッチキス針
１７  耳掛け部
１７Ａ  貫通孔
１７Ｂ  切れ込み
２０  便袋
２１  第１延伸部
２１１，２２１  粘着層
２１１Ａ  切れ込み
２１２，２２２  離型紙
２３  第２延伸部
２２１Ａ  切れ込み
２３  開口
２４  底縁
２５，２６  側縁
３０  犬の糞
４０  固定シート
４１  結合部
４２  密閉部
４２１，４２２  先端口
４２３  貫通孔
４２４  切れ込み
４２５  耳掛け部
４３  通孔
４４  離型紙
４５  粘着層
４６  直線切れ込み
４７  粘着層
４８  弧形切れ込み
４９  耳掛け部
４９１  貫通孔
５０  便袋
５１  上端面
５２  開口
５３  第１折れ辺
５４  第２折れ辺
５５  第１折れ線
５６  第２折れ線
５７  第３折れ線
５８  第３折れ辺
６０  犬
６２  牽引縄
６２１  掴持部
６３  吊り環
６３１  フック
【図１】
0003203034.tif 000003
【図２】
0003203034.tif 000004
【図３】
0003203034.tif 000005
【図４】
0003203034.tif 000006
【図５】
0003203034.tif 000007
【図６】
0003203034.tif 000008
【図７】
0003203034.tif 000009
【図８】
0003203034.tif 000010
【図９】
0003203034.tif 000011
【図１０】
0003203034.tif 000012
【図１１】
0003203034.tif 000013
【図１２】
0003203034.tif 000014
【図１３】
0003203034.tif 000015
【図１４】
0003203034.tif 000016
【図１５】
0003203034.tif 000017
【図１６】
0003203034.tif 000018
【図１７】
0003203034.tif 000019
【図１８】
0003203034.tif 000020
【図１９】
0003203034.tif 000021
【図２０】
0003203034.tif 000022